【手続補正書】
【提出日】平成21年12月16日(2009.12.16)
【手続補正１】
【補正対象書類名】特許請求の範囲
【補正対象項目名】全文
【補正方法】変更
【補正の内容】
【特許請求の範囲】
【請求項１】
内蔵されるメモリ内にストアされた画像、ディスプレイ・デバイス・コントローラ、および前記ストアされた画像を表示するための画像ディスプレイを有するディスプレイ・デバイスとともに使用するためのプリンタであって、
協働して画像に従う形で受け側媒体に対する提供側材料の転写を生じさせるべく適合された印刷エンジンおよび受け側媒体移送機構を収容する外部構造と、
ディスプレイ・デバイスの電気コネクタが電気インターフェースと電気接続を形成して前記プリンタと前記ディスプレイ・デバイスの間に電気接続を提供できるように前記ディスプレイ・デバイスを受け入れ、かつ前記ディスプレイ・デバイスを位置決めするべく適合されたディスプレイ・デバイス・インターフェースと、
前記画像ディスプレイ上に呈示されるものに影響を与える信号を前記ディスプレイ・デバイス・コントローラに送信するべく適合されたプリンタ・プロセッサと、
を有し、
前記ディスプレイ・デバイス・インターフェースは、前記プリンタと前記ディスプレイ・デバイスの間における電気接続を維持しつつ、前記ディスプレイ・デバイス・インターフェースを前記プリンタの前記外部構造に対するポジションの範囲の間において移動可能な形で前記外部構造に調整可能にマウントされ、その結果、前記プリンタと接続された関係にある間、前記プリンタの前記外部構造に対して１を超えるポジションに画像ディスプレイが位置決めされることが可能となるプリンタ。
【請求項２】
印刷エンジンおよび画像を印刷するための受け側媒体移送路を保持するプリンタ・ハウジング、および前記ハウジングに結合されたドッキング・インターフェースであって、ディジタル・カメラを、カメラの電気コネクタが前記ドッキング・ステーション内の電気インターフェースと電気的に係合して位置決めされることが可能となるように受け入れるべく形状設定されたドッキング・インターフェースと、
前記ディジタル・カメラ内のコントロール・システムに対する信号の伝達を、前記ディジタル・カメラの前記コントロール・システムに前記伝達される信号に基づいて前記ディスプレイ上に画像を呈示させる態様で生じさせるべく適合されたプロセッサと、
を有し、
前記ドッキング・インターフェースは、前記外部表面に回転可能にマウントされ、前記電気コネクタが、前記プリンタ内において、前記電気インターフェースと前記電気コネクタの間における電気接続を維持しつつ、前記ドッキング表面が前記ハウジングに対して複数のポジションに回転することを可能にする形で接続される、プリンタおよびディジタル・カメラ・システム。
【請求項３】
ディスプレイ・デバイスとともに使用するためのプリンタであって、
前記ディスプレイ・デバイスの電気コネクタと結合し、かつそれとともに電気接続を形成するべく適合された電気インターフェースを有するドッキング表面と、
前記電気接続を維持しつつ、前記ディスプレイ・デバイスを回転するための回転手段と、
前記ディスプレイ・デバイスに、前記ディスプレイ・デバイスのディスプレイ上に呈示されるものに影響を及ぼす信号を送信するための駆動手段と、
を有するプリンタ。
【手続補正２】
【補正対象書類名】明細書
【補正対象項目名】００３０
【補正方法】変更
【補正の内容】
【００３０】
図１１、１２、および１３は、被ドッキング・ディスプレイ・デバイスを伴うプリンタ２０の別の実施態様を示している。この実施態様においては、調整表面１６０がハウジング２１上に提供される。調整表面１６０もまた、ハウジングに関して移動可能にマウントされ、コントロール６８ａ〜６８ｄおよび／またはステータス表示器３９ａ〜３９ｄのポジションがディスプレイ・デバイス・インターフェース１００および外部ハウジング２１に関して調整可能となり、システムのためのコントロールの配置においてユーザにより高い柔軟性を提供できるように、少なくともローカル入力コントロール６８のうちのいくつか、および／またはステータス表示器３９ａ〜３９ｄのうちのいくつかが調整表面１６０上に配置される。この実施態様においては、配置されるディスプレイ・デバイス・インターフェース１００が回転軸Ａ周りに回転可能に外部ハウジングにマウントされ、調整表面１６０が概略でこの回転軸Ａ周りに回転する環状リング上に位置決めされる。しかしながらこれが必須ではなく、別の実施態様においては、ディスプレイ・デバイス・インターフェース１００がディスプレイ・デバイス・インターフェース１００の１つまたは複数の移動軸と独立の１つまたは複数の軸に沿って移動するべく適合されることは可能である。
【手続補正３】
【補正対象書類名】明細書
【補正対象項目名】００３１
【補正方法】変更
【補正の内容】
【００３１】
図１４および１５は、被ドッキング・ディスプレイ・デバイスを伴うプリンタ２０のさらに別の実施態様の端面図を示しており、ここではプリンタ２０が、水平寸法、垂直寸法、および奥行き寸法を有し、前記ディスプレイ・デバイス受け入れエリアが、水平、垂直、および奥行き寸法のうちの少なくとも２つの範囲から画像ディスプレイ１１２を見ることができるようにディスプレイ・デバイス・インターフェース１００を回転可能に位置決めするべく適合される。特に図１４および１５の実施態様には、ディスプレイ・デバイス・インターフェース１００が、画像ディスプレイ１１２の視角におけるバリエーションを可能にするべく調整可能な接触表面１０２を有することが図解されている。それに代えて、ディスプレイ・デバイス・インターフェース１００に対する水平、垂直、および奥行き寸法のうちの少なくとも２つに沿ってディスプレイ・デバイス・インターフェース１００の可変ポジションを提供する従来的な構造を使用できる。
【手続補正４】
【補正対象書類名】明細書
【補正対象項目名】００３２
【補正方法】変更
【補正の内容】
【００３２】
【図１】プリンタおよびディスプレイ・デバイス・インターフェースのブロック図である。
【図２Ａ】それぞれ、図１の実施態様の平面図および側面図である。
【図２Ｂ】それぞれ、図１の実施態様の平面図および側面図である。
【図３Ａ】ディスプレイ・デバイスのディジタル・カメラ実施態様の外観図である。
【図３Ｂ】ディスプレイ・デバイスのディジタル・カメラ実施態様の外観図である。
【図３Ｃ】ディスプレイ・デバイスのディジタル・カメラ実施態様の外観図である。
【図３Ｄ】ディスプレイ・デバイスのディジタル・カメラ実施態様の外観図である。
【図４】組み合わされたプリンタおよびディスプレイ・デバイスを種々のポジションにおいて示した平面図である。
【図５】組み合わされたプリンタおよびディスプレイ・デバイスを種々のポジションにおいて示した平面図である。
【図６】組み合わされたプリンタおよびディスプレイ・デバイスを種々のポジションにおいて示した平面図である。
【図７】組み合わされたプリンタおよびディスプレイ・デバイスを種々のポジションにおいて示した平面図である。
【図８】組み合わされたプリンタおよびディスプレイ・デバイスを種々のポジションにおいて示した平面図である。
【図９】被ドッキング・ディスプレイ・デバイスを伴うプリンタの別の実施態様を示した平面図である。
【図１０】被ドッキング・ディスプレイ・デバイスを伴うプリンタの別の実施態様を示した平面図である。
【図１１】被ドッキング・ディスプレイ・デバイスを伴うプリンタの別の実施態様を示した平面図である。